(57)【要約】【課題】ユーザの想像する建築物に関するイメージと実物とのずれを小さくできるシミュレーションシステムを提供する。【解決手段】シミュレーションシステム１は建築物に関する展示物１００に画像を表示する表示装置１０と、展示物１００に表示される画像の内容を選択する選択部２０とを備える。選択部２０は画像に対応する情報を表示する表示部を含む。【選択図】図１
2020034820.tif 000002
【特許請求の範囲】
【請求項１】
建築物に関する展示物に画像を表示する表示装置と、
前記展示物に表示される前記画像の内容を選択する選択部とを備え、
前記選択部は前記画像に対応する情報を表示する表示部を含む
シミュレーションシステム。
【請求項２】
前記表示部は前記展示物に表示される前記画像に対応するサンプル画像、および、前記画像に対応するサンプル素材の少なくとも一方を用いて前記情報を表示する
請求項１に記載のシミュレーションシステム。
【請求項３】
前記サンプル画像は前記展示物に対応する模様、および、前記展示物に設置される物品の少なくとも一方を含む
請求項２に記載のシミュレーションシステム。
【請求項４】
前記選択部は前記展示物に設けられる
請求項１〜３のいずれか一項に記載のシミュレーションシステム。
【請求項５】
前記選択部はポータブルユニットである
請求項１〜４のいずれか一項に記載のシミュレーションシステム。
【請求項６】
前記選択部は個別に構成される複数の個別選択部を含み、
前記複数の個別選択部の前記表示部はそれぞれ異なる前記情報を表示する
請求項１〜５のいずれか一項に記載のシミュレーションシステム。
【請求項７】
前記展示物は前記選択部を検出する検出部を含む
請求項１〜６のいずれか一項に記載のシミュレーションシステム。
【請求項８】
前記検出部の検出結果を参照して前記情報に対応する前記画像を前記表示装置に表示させる制御部をさらに備える
請求項７に記載のシミュレーションシステム。
【請求項９】
前記制御部は前記検出部の検出結果を参照して前記展示物に対する前記画像の表示箇所を選択する
請求項８に記載のシミュレーションシステム。
【請求項１０】
前記展示物の大きさは実物大である
請求項１〜９のいずれか一項に記載のシミュレーションシステム。
【発明の詳細な説明】
【技術分野】
【０００１】
本発明はシミュレーションシステムに関する。
【背景技術】
【０００２】
建築物に関するデザインのシミュレーションを実施できるシミュレーションシステムが知られている。その一例である特許文献１に記載の構造物の意匠表示方法では、ディスプレイに建築物の外観、複数の屋根の形状、および、複数の外壁の模様を表示し、ユーザによって選択された屋根の形状、および、外壁の模様となるように建築物の外観のデザインを変更している。このため、ユーザは好みに応じた建築物に関するデザインのイメージを把握できる。
【先行技術文献】
【特許文献】
【０００３】
【特許文献１】特開２００２−３２８９５３号公報
【発明の概要】
【発明が解決しようとする課題】
【０００４】
上記構造物の意匠表示方法では、ディスプレイに表示されるデザインに基づいてシミュレーションが実施されるため、ユーザの想像する建築物に関するイメージと実物とに大きなずれが生じるおそれがある。
【課題を解決するための手段】
【０００５】
(１)本発明に関するシミュレーションシステムは建築物に関する展示物に画像を表示する表示装置と、前記展示物に表示される前記画像の内容を選択する選択部とを備え、前記選択部は前記画像に対応する情報を表示する表示部を含む。
上記シミュレーションシステムでは、展示物に画像が表示されるため、建築物に関するデザイン、機能性、および、使用感について、実際の情報に近い情報をユーザに提供できる。このため、ユーザの想像する建築物に関するイメージと実物とのずれを小さくできる。
【０００６】
(２)好ましい例では(１)に記載のシミュレーションシステムにおいて、前記表示部は前記展示物に表示される前記画像に対応するサンプル画像、および、前記画像に対応するサンプル素材の少なくとも一方を用いて前記情報を表示する。
このため、展示物に表示される画像をユーザが容易に把握できる。
【０００７】
(３)好ましい例では(２)に記載のシミュレーションシステムにおいて、前記サンプル画像は前記展示物に対応する模様、および、前記展示物に設置される物品の少なくとも一方を含む。
このため、多様な情報をユーザに提供できる。
【０００８】
(４)好ましい例では(１)〜(３)のいずれか一項に記載のシミュレーションシステムにおいて、前記選択部は前記展示物に設けられる。
このため、画像の内容を容易に選択できる。
【０００９】
(５)好ましい例では(１)〜(４)のいずれか一項に記載のシミュレーションシステムにおいて、前記選択部はポータブルユニットである。
このため、シミュレーションシステムの構成を簡素化できる。
【００１０】
(６)好ましい例では(１)〜(５)のいずれか一項に記載のシミュレーションシステムにおいて、前記選択部は個別に構成される複数の個別選択部を含み、前記複数の個別選択部の前記表示部はそれぞれ異なる前記情報を表示する。
このため、多様な情報をユーザに提供できる。
【００１１】
(７)好ましい例では(１)〜(６)のいずれか一項に記載のシミュレーションシステムにおいて、前記展示物は前記選択部を検出する検出部を含む。
このため、展示物に画像を容易に表示できる。
【００１２】
(８)好ましい例では(７)に記載のシミュレーションシステムにおいて、前記検出部の検出結果を参照して前記情報に対応する前記画像を前記表示装置に表示させる制御部をさらに備える。
このため、展示物に画像を容易に表示できる。
【００１３】
(９)好ましい例では(８)に記載のシミュレーションシステムにおいて、前記制御部は前記検出部の検出結果を参照して前記展示物に対する前記画像の表示箇所を選択する。
このため、多様な情報をユーザに提供できる。
【００１４】
(１０)好ましい例では(１)〜(９)のいずれか一項に記載のシミュレーションシステムにおいて、前記展示物の大きさは実物大である。
このため、ユーザの想像する建築物に関するイメージと実物とのずれを一層小さくできる。
【発明の効果】
【００１５】
本発明に関するシミュレーションシステムによれば、ユーザの想像する建築物に関するイメージと実物とのずれを小さくできる。
【図面の簡単な説明】
【００１６】
【図１】実施形態のシミュレーションシステムが適用される展示物の透視図。
【図２】実施形態のシミュレーションシステムのブロック図。
【図３】図１の選択部の正面図。
【図４】図２の表示装置が展示物にマーカーを表示している状態の展示物の斜視図。
【図５】図２の表示装置が戸棚に表示画像を表示している状態の展示物の斜視図。
【図６】図２の表示装置が戸棚およびキッチンパネルに表示画像を表示している状態の展示物の斜視図。
【図７】図２の表示装置が戸棚、キッチンパネル、および、ワークトップに表示画像を表示している状態の展示物の斜視図。
【図８】図２の表示装置が戸棚、キッチンパネル、ワークトップ、および、第１所定領域に表示画像を表示している状態の展示物の斜視図。
【発明を実施するための形態】
【００１７】
(実施形態)
図１および図２を参照して、シミュレーションシステム１の一例について説明する。シミュレーションシステム１は建築物に関する展示物１００(以下「展示物１００」という)に画像を表示することによって、建築物に関するデザイン、機能性、および、使用感について、実際の情報に近い情報をユーザに提供できるように構成されるシステムである。展示物１００は例えば、建築物の内装に関する展示物、および、建築物の外装に関する展示物である。建築物の内装に関する展示物の一例はキッチン、リビング、ダイニング、リビングダイニング、寝室、応接室、書斎、玄関、廊下、階段室、トイレ、洗面所、脱衣所、浴室、物置、および、納戸である。建築物の外装に関する展示物の一例は屋根、外壁、バルコニー、手摺、面材、基礎、および、笠木である。図１等に示される例では、展示物１００はキッチンを含む建築物の内装の一部である。展示物１００は戸棚１１０、キッチンパネル１２０、ワークトップ１３０、および、一対の壁部１４０を備える。展示物１００の大きさは任意に選択できる。好ましい例では、展示物１００の大きさは実物大である。このため、ユーザの想像する建築物に関するイメージと実物とのずれを一層小さくできる。展示物１００が設置される場所は任意に選択できる。第１例では、展示物１００は移動式展示場の屋内または屋外に設置される。第２例では、展示物１００は常設展示場の屋内または屋外に設置される。
【００１８】
図２に示されるように、シミュレーションシステム１を構成する主な要素は表示装置１０、選択部２０(図１参照)、検出部３０、および、端末装置４０である。表示装置１０は展示物１００に画像を投影することによって、展示物１００に画像を表示する。表示装置１０は例えばプロジェクタである。表示装置１０は展示物１００に画像を表示できる位置に設置される。表示装置１０の数は１または複数である。図１等に示される例では、表示装置１０は第１表示装置１１および第２表示装置１２を備える。第１表示装置１１および第２表示装置１２は展示物１００に表示する画像(以下「表示画像」という)に影が形成されないように展示物１００に画像を表示する。表示画像は第１種画像、第２種画像、および、第３種画像を含む。第１種画像は展示物１００の模様に関する画像である。第２種画像は展示物１００に設置される物品に関する画像である。第３種画像は第１種画像および第２種画像に対応するデザインに設定された場合の費用に関する情報(以下「費用情報」という)を含む画像である。展示物１００に設置される物品は展示物１００の種類に応じて任意に選択される。展示物１００がキッチンを含む内装の一部である場合、展示物１００に設置される物品の一例はシンクおよびコンロである。このため、建築物に関するデザイン、機能、および、使用感についての多様な情報をユーザに提供できる。
【００１９】
選択部２０は表示画像の内容を選択する。選択部２０が設けられる場所は任意に選択できる。図１等に示される第１例では、選択部２０は展示物１００の一方の壁部１４０に設けられる。このため、表示画像の内容を容易に選択できる。第２例では、選択部２０は展示物１００のうちの一方の壁部１４０以外の部分に設けられる。第３例では、選択部２０は展示物１００以外の任意の場所に設けられる。図３に示されるように、選択部２０は個別に構成される複数の個別選択部２１、複数の個別選択部２１のそれぞれに取り付けられるＲＦ(Radio Frequency)タグ２２、および、複数の個別選択部２１を支持する支持部２３を備える。
【００２０】
複数の個別選択部２１の形態は任意に選択できる。図３等に示される例では、複数の個別選択部２１の形態は支持部２３から取り外して持ち運ぶことができるポータブルユニットである。このため、シミュレーションシステム１の構成を簡素化できる。一例では、複数の個別選択部２１は小型のパネルである。別の例では、複数の個別選択部２１はスマートフォンまたはタブレット端末である。複数の個別選択部２１を構成する材料は任意に選択できる。好ましい例では、複数の個別選択部２１はユーザが容易に持ち運べることができるように、軽量な材料によって構成される。その一例はスチレンボード、ベニヤ板、ＭＤＦ(medium density fiberboard)、および、布である。複数の個別選択部２１は表示画像に対応する情報(以下「表示画像情報」という)を表示する表示部２１Ａを備える。複数の個別選択部２１の表示部２１Ａはそれぞれ異なる表示画像情報を表示する。
【００２１】
複数の個別選択部２１は表示部２１Ａが表示する表示画像情報の種類に応じて、第１グループＧＡ、第２グループＧＢ、および、第３グループＧＣに分類される。第１グループＧＡに分類される個別選択部２１の表示部２１Ａは表示画像情報として展示物１００の模様を表示する。展示物１００の模様は展示物１００の種類に応じて決められる。展示物１００がキッチンを含む内装の一部である場合、展示物１００の模様の一例は木目調の模様、大理石調の模様、タイル調の模様、石材調の模様、クロス調の模様、任意の塗装の模様、および、金属調の模様である。表示部２１Ａの表示画像情報の表示方法は表示画像の内容をユーザが認識できる手段から任意に選択できる。一例では、表示部２１Ａは表示画像に対応するサンプル画像、および、表示画像に対応するサンプル素材の少なくとも一方を用いて表示画像情報を表示する。このため、表示画像をユーザが容易に把握できる。図３等に示される例では、表示部２１Ａは表示画像に対応するサンプル画像を用いて表示画像情報を表示する。表示画像に対応するサンプル画像は個別選択部２１に印刷される、または、貼り付けられる。表示部２１Ａが表示画像に対応するサンプル素材を用いて表示画像情報を表示する場合、表示画像に対応するサンプル素材は個別選択部２１に貼り付けられる、または、サンプル素材を用いて個別選択部２１が構成される。個別選択部２１がスマートフォンまたはタブレット端末の場合、表示画像情報は表示部２１Ａとしてのディスプレイに表示される。
【００２２】
第２グループＧＢに分類される個別選択部２１の表示部２１Ａは表示画像情報として展示物１００の模様におけるタイルの形状を表示する。第３グループＧＣに分類される個別選択部２１の表示部２１Ａは表示画像情報として、展示物１００に設置される物品を文字、または、物品のサンプル画像を用いて表示する。図３等に示される例では、第３グループＧＣに分類される個別選択部２１の表示部２１Ａは表示画像情報として、展示物１００に設置される物品を文字で表示する。
【００２３】
ＲＦタグ２２には、表示部２１Ａが表示している表示画像情報を識別する情報(以下「識別情報」という)、および、表示部２１Ａが表示している表示画像情報に対応する費用情報が登録される。ＲＦタグ２２はパッシブタグ、アクティブタグ、または、セミアクティブタグである。ＲＦタグ２２の電波の伝達方式は電磁誘導方式または電波方式である。ＲＦタグ２２は複数の個別選択部２１にそれぞれ結合される。
【００２４】
複数の支持部２３は一方の壁部１４０に取り付けられる。複数の支持部２３の一例は釘フックである。複数の個別選択部２１は複数の支持部２３に引っ掛けられた状態で支持される。
【００２５】
図２に示される検出部３０は選択部２０のＲＦタグ２２(図３参照)に登録されている識別情報を検出する。検出部３０の一例は一般的な受信機またはＲＦＩＤ(radio frequency identifier)リーダである。検出部３０は端末装置４０と通信できるように端末装置４０と接続される。検出部３０と端末装置４０との通信の形態は無線通信または有線通信である。検出部３０は検出した識別情報を端末装置４０に送信する。検出部３０が設けられる位置は任意に選択できる。図１等に示される第１例では、検出部３０は展示物１００に設けられる。第２例では、検出部３０は展示物１００以外の任意の場所に設けられる。
【００２６】
検出部３０は第１検出部３１、第２検出部３２、第３検出部３３、第４検出部３４、第５検出部３５、および、第６検出部３６を含む。第１検出部３１、第２検出部３２、および、第３検出部は一方の壁部１４０の内部に設けられる。第１検出部３１、第２検出部３２、および、第３検出部３３は第１グループＧＡおよび第２グループＧＢに含まれる複数の個別選択部２１に取り付けられているＲＦタグ２２に登録されている識別情報を検出する。第１検出部３１が識別情報を検出した場合、識別情報に対応する表示画像が戸棚１１０に表示される。第２検出部３２が識別情報を検出した場合、識別情報に対応する表示画像がキッチンパネル１２０に表示される。第３検出部３３が識別情報を検出した場合、識別情報に対応する表示画像がワークトップ１３０に表示される。第１検出部３１、第２検出部３２、および、第３検出部３３が識別情報を検出した場合、検出した識別情報に対応する費用情報が展示物１００に表示される。展示物１００のうちの費用情報が表示される箇所は任意に選択できる。一例では、費用情報は第１検出部３１、第２検出部３２、および、第３検出部３３のうちの識別情報を検出した検出部の近傍に表示される。
【００２７】
第４検出部３４、第５検出部３５、および、第６検出部３６は第３グループＧＣに含まれる個別選択部２１に取り付けられているＲＦタグ２２に登録されている識別情報を検出する。第４検出部３４、第５検出部３５、および、第６検出部３６はワークトップ１３０の裏面に設けられる。第４検出部３４、第５検出部３５、および、第６検出部３６はワークトップ１３０の長手方向に沿って所定の間隔をあけて配置される。第４検出部３４はワークトップ１３０の長手方向において、ワークトップ１３０の裏面のうちの一方の壁部１４０側に設けられる。第５検出部３５はワークトップ１３０の長手方向において、ワークトップ１３０の裏面のうちの中央に設けられる。第６検出部３６はワークトップ１３０の長手方向において、ワークトップ１３０の裏面のうちの他方の壁部１４０側に設けられる。第４検出部３４が識別情報を検出した場合、ワークトップ１３０の表面のうちの第４検出部３４を含む所定領域(以下「第１所定領域ＲＡ」という)に識別情報に対応する表示画像が表示される。第５検出部３５が識別情報を検出した場合、ワークトップ１３０の表面のうちの第５検出部３５を含む所定領域(以下「第２所定領域ＲＢ」という)に識別情報に対応する表示画像が表示される。第６検出部３６が識別情報を検出した場合、ワークトップ１３０の表面のうちの第６検出部３６を含む所定領域(以下「第３所定領域ＲＣ」という)に識別情報に対応する表示画像が表示される。第４検出部３４、第５検出部３５、および、第６検出部３６が識別情報を検出した場合、検出した識別情報に対応する費用情報が展示物１００に表示される。展示物１００のうちの費用情報が表示される箇所は任意に選択できる。一例では、費用情報は第４検出部３４、第５検出部３５、および、第６検出部３６のうちの識別情報を検出した検出部に対応する所定領域ＲＡ〜ＲＣのうちの任意の領域に表示される。
【００２８】
端末装置４０の一例はパーソナルコンピュータ、サーバ、または、スマートデバイスである。スマートデバイスの一例はタブレットおよびスマートフォンである。端末装置４０がサーバである場合、端末装置４０は展示場の屋内または屋外に設置される。図２に示される例では、端末装置４０はパーソナルコンピュータである。端末装置４０は記憶装置４１およびプロセッサ４２を備える。記憶装置４１は例えばハードディスク等の補助記憶装置である。記憶装置４１には、展示物１００に表示画像を表示するための１または複数のアプリケーションソフトウェア(以下「画像表示ソフト」)が記憶されている。
【００２９】
プロセッサ４２は記憶装置４１と通信できるように記憶装置４１と接続されている。プロセッサ４２が記憶装置４１に記憶されている画像表示ソフトを実行することによって、プロセッサ４２の１または複数の機能ブロックが構築される。１または複数の機能ブロックには、制御部ＰＡが含まれる。プロセッサ４２による画像表示ソフトの実行により得られた情報は記憶装置４１に記憶される。
【００３０】
制御部ＰＡは検出部３０の検出結果を参照して、識別情報と紐付けられる表示画像情報に対応する画像を表示装置１０に表示させる。このため、展示物１００に画像を容易に表示できる。制御部ＰＡは検出部３０の検出結果を参照して、展示物１００に対する画像の表示箇所を選択する。このため、多様な情報をユーザに提供できる。第１検出部３１が識別情報を検出した場合、制御部ＰＡは戸棚１１０を表示箇所として選択する。第２検出部３２が識別情報を検出した場合、制御部ＰＡはキッチンパネル１２０を表示箇所として選択する。第３検出部３３が識別情報を検出した場合、制御部ＰＡはワークトップ１３０を表示箇所として選択する。第４検出部３４が識別情報を検出した場合、制御部ＰＡは第１所定領域ＲＡを表示箇所として選択する。第５検出部３５が識別情報を検出した場合、制御部ＰＡは第２所定領域ＲＢを表示箇所として選択する。第６検出部３６が識別情報を検出した場合、制御部ＰＡは第３所定領域ＲＣを表示箇所として選択する。
【００３１】
図４〜図８を参照して、シミュレーションシステム１の使用方法の一例について説明する。検出部３０がいずれのＲＦタグ２２の識別情報を検出していない場合、図４に示されるように、表示装置１０は表示画像として、検出部３０の位置を表示するマーカーＭＡのみを展示物１００に表示する。なお、マーカーＭＡは展示物１００に印刷等によって表示してもよい。
【００３２】
図５に示されるように、ユーザが第１グループＧＡまたは第２グループＧＢに含まれる任意の個別選択部２１を第１検出部３１の位置を表示するマーカーＭＡにかざした場合、第１検出部３１が識別情報を検出する。表示装置１０はかざされた個別選択部２１の表示部２１Ａが表示する表示画像情報に対応する表示画像を戸棚１１０に表示する。表示装置１０はかざされた個別選択部２１の表示部２１Ａが表示する表示画像情報に対応する費用情報ＣＡを第１検出部３１の近傍に表示する。
【００３３】
図６に示されるように、ユーザが第１グループＧＡまたは第２グループＧＢに含まれる任意の個別選択部２１を第２検出部３２の位置を表示するマーカーＭＡにかざした場合、第２検出部３２が識別情報を検出する。表示装置１０はかざされた個別選択部２１の表示部２１Ａが表示する表示画像情報に対応する表示画像をキッチンパネル１２０に表示する。表示装置１０はかざされた個別選択部２１の表示部２１Ａが表示する表示画像情報に対応する費用情報ＣＢを第２検出部３２の近傍に表示する。
【００３４】
図７に示されるように、ユーザが第１グループＧＡまたは第２グループＧＢに含まれる任意の個別選択部２１を第３検出部３３の位置を表示するマーカーＭＡにかざした場合、第３検出部３３が識別情報を検出する。表示装置１０はかざされた個別選択部２１の表示部２１Ａが表示する表示画像情報に対応する表示画像をワークトップ１３０に表示する。表示装置１０はかざされた個別選択部２１の表示部２１Ａが表示する表示画像情報に対応する費用情報ＣＣを第３検出部３３の近傍に表示する。
【００３５】
図８に示されるように、ユーザが第３グループＧＣに含まれる任意の個別選択部２１を第４検出部３４の位置を表示するマーカーＭＡにかざした場合、第４検出部３４が識別情報を検出する。表示装置１０はかざされた個別選択部２１の表示部２１Ａが表示する表示画像情報に対応する表示画像をワークトップ１３０の第１所定領域ＲＡに表示する。図８では、表示装置１０が第１所定領域にコンロの画像を表示している状態を示している。表示装置１０はかざされた個別選択部２１の表示部２１Ａが表示する表示画像情報に対応する費用情報ＣＤを第１所定領域ＲＡのうちの任意の箇所に表示する。
【００３６】
シミュレーションシステム１の作用および効果について説明する。
展示物１００に画像が表示されるため、建築物に関するデザイン、機能性、および、使用感について、実際の情報に近い情報をユーザに提供できる。このため、ユーザの想像する建築物に関するイメージと実物とのずれを小さくできる。
【００３７】
(変形例)
上記実施形態は本発明に関するシミュレーションシステムが取り得る形態の例示であり、その形態を制限することを意図していない。本発明に関するシミュレーションシステムは実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００３８】
・表示装置１０の構成は任意に変更できる。変形例のシミュレーションシステム１の表示装置１０は表示画像を表示するディスプレイを含む。この変形例の場合、表示装置１０のディスプレイが展示物１００に表面に取り付けられる、または、展示物１００がディスプレイによって構成される。表示装置１０のディスプレイが展示物１００の表面に取り付けられる場合、ディスプレイの形状は展示物１００の表面の形状と実質的に同じであることが好ましい。この変形例のシミュレーションシステム１では、表示装置１０は検出部３０の検出結果を参照して表示画像情報に対応する表示画像をディスプレイに表示する。この変形例のシミレーションシステム１によれば、実施形態のシミュレーションシステム１と実質的に同じ効果が得られる。
【００３９】
・選択部２０の構成は任意に変更可能である。第１変形例のシミュレーションシステム１の選択部２０は表示部２１Ａとして、表示画像情報を表示するディスプレイを備える。第１変形例のシミュレーションシステム１の表示部２１Ａは予め登録される表示画像情報に加えて、ユーザが所持する記録媒体に記録される表示画像情報を表示できることが好ましい。記録媒体の一例はメモリーカード、コンパクトディスク、フラッシュメモリ、および、ハードディスクである。第１変形例のシミュレーションシステム１の表示装置１０は予め登録される表示画像情報、および、ユーザが所持する記録媒体に記録される表示画像情報に対応する表示画像を展示物１００に表示する。第２変形例のシミュレーションシステムの選択部２０はＲＦタグ２２に代えて、識別情報が登録された一次元コードまたは二次元コードを備える。第２変形例の場合、検出部３０は一次元コードまたは二次元コードを読み取るコードリーダである。
【００４０】
・個別選択部２１の種類は任意に変更可能である。第１変形例のシミュレーションシステム１は展示物１００に設置される物品について、複数のサイズに対応する第３グループＧＣに分類される個別選択部２１を備える。第１変形例のシミュレーションシステムによれば、ユーザの好みに応じて、展示物１００に設置される物品のサイズを変更することができるため、建築物に関するデザイン、機能性、および、使用感について、一層多様な情報をユーザに提供できる。第２変形例のシミュレーションシステム１は第４グループに分類される個別選択部２１を備える。第４グループに分類される個別選択部２１の表示部２１Ａは表示画像情報として展示物１００の全体のデザインに関する情報を文字、絵、および、写真の少なくとも１つを用いて表示する。第２変形例では、第４グループに分類される個別選択部２１が備えるＲＦタグ２２に登録されている識別情報を検出部３０が検出した場合、表示装置１０は展示物１００の全体が統一感のあるデザインとなるような表示画像を展示物１００に表示する。統一感のあるデザインの一例はヨーロッパ風のデザイン、コロニアル風のデザイン、セドナ風のデザイン、および、ファームハウス風のデザインである。
【符号の説明】
【００４１】
１    ：シミュレーションシステム
１０  ：表示装置
２０  ：選択部
２１  ：個別選択部
２１Ａ：表示部
３０  ：検出部
１００：展示物
ＰＡ  ：制御部
【図１】
2020034820.tif 000003
【図２】
2020034820.tif 000004
【図３】
2020034820.tif 000005
【図４】
2020034820.tif 000006
【図５】
2020034820.tif 000007
【図６】
2020034820.tif 000008
【図７】
2020034820.tif 000009
【図８】
2020034820.tif 000010